(57)【特許請求の範囲】
【請求項１】
車両（２）と、前記車両（２）に搭載されて噴霧ノズル（１０）から薬液を噴霧することにより前記薬液を散布する散布装置（３）とを備えた散布作業機（１）であって、
前記散布装置（３）によって散布する前記薬液の単位面積あたりの目標散布量を取得する第１取得部（３１）と、
前記噴霧ノズル（１０）における噴霧に関するノズル特性を取得する第２取得部（３２）と、
前記第１取得部（３１）で取得された前記目標散布量と、前記第２取得部（３２）で取得された前記ノズル特性とに基づいて、前記目標散布量で前記薬液を散布可能な前記車両（２）の速度範囲を演算する範囲演算部（３６）と、
前記範囲演算部（３６）で演算された前記車両（２）の速度範囲を表示する表示部（２２）と、
回転力を駆動源として前記薬液を前記噴霧ノズル（１０）に供給するポンプ（６ａ）と、
前記ポンプ（６ａ）の回転数を取得するポンプ回転数取得部（３４）と、
前記ポンプ回転数取得部（３４）で取得された前記ポンプ（６ａ）の回転数に基づいて、前記噴霧ノズル（１０）に供給される前記薬液の供給量を演算する供給量演算部（３５）と、を備え、
前記ノズル特性は、前記噴霧ノズル（１０）における前記薬液の供給圧力と噴霧量との相関と、前記噴霧ノズル（１０）に対して予め設定された前記薬液の供給圧力の許容範囲とを含み、
前記範囲演算部（３６）は、
前記第１取得部（３１）で取得された前記目標散布量と、前記第２取得部（３２）で取得された前記薬液の供給圧力と噴霧量との相関及び前記薬液の供給圧力の許容範囲とに基づいて、前記薬液の供給圧力の許容範囲内において前記目標散布量で前記薬液を散布可能な前記車両（２）の速度範囲を演算し、
前記第２取得部（３２）で取得された前記薬液の供給圧力と噴霧量との相関及び前記薬液の供給圧力の許容範囲に基づいて、前記薬液の供給圧力の許容範囲内における前記噴霧ノズルの最大の噴霧量を演算し、
前記供給量演算部（３５）で演算された前記薬液の供給量が前記噴霧ノズルの最大の噴霧量よりも小さい場合、前記第１取得部（３１）で取得された前記目標散布量と前記供給量演算部（３５）で演算された前記薬液の供給量とに基づいて、前記車両の速度範囲の上限値を演算する、散布作業機。
【請求項２】
車両（２）と、前記車両（２）に搭載されて噴霧ノズル（１０）から薬液を噴霧することにより前記薬液を散布する散布装置（３）とを備えた散布作業機（１）であって、
前記散布装置（３）によって散布する前記薬液の単位面積あたりの目標散布量を取得する第１取得部（３１）と、
前記噴霧ノズル（１０）における噴霧に関するノズル特性を取得する第２取得部（３２）と、
前記第１取得部（３１）で取得された前記目標散布量と、前記第２取得部（３２）で取得された前記ノズル特性とに基づいて、前記目標散布量で前記薬液を散布可能な前記車両（２）の速度範囲を演算する範囲演算部（３６）と、
前記範囲演算部（３６）で演算された前記車両（２）の速度範囲を表示する表示部（２２）と、
回転力を駆動源として前記薬液を前記噴霧ノズル（１０）に供給するポンプ（６ａ）と、
前記ポンプ（６ａ）の回転数を取得するポンプ回転数取得部（３４）と、
前記ポンプ回転数取得部（３４）で取得された前記ポンプ（６ａ）の回転数に基づいて、前記噴霧ノズル（１０）に供給される前記薬液の供給量を演算する供給量演算部（３５）と、を備え、
前記ノズル特性は、前記噴霧ノズルに対して予め設定された前記薬液の噴霧量の許容範囲を含み、
前記範囲演算部（３６）は、
前記第１取得部（３１）で取得された前記目標散布量と、前記薬液の噴霧量の許容範囲とに基づいて、前記薬液の噴霧量の許容範囲内において前記目標散布量で前記薬液を散布可能な前記車両（２）の速度範囲を演算し、
前記供給量演算部（３５）で演算された前記薬液の供給量が、前記第２取得部（３２）で取得された前記薬液の噴霧量の許容範囲内における最大の噴霧量よりも小さい場合、前記第１取得部（３１）で取得された前記目標散布量と前記供給量演算部（３５）で演算された前記薬液の供給量とに基づいて、前記車両（２）の速度範囲の上限値を演算する、散布作業機。
【請求項３】
前記車両（２）の速度を検出する速度検出部（５）を更に備え、
前記表示部（２２）は、前記速度検出部（５）で検出された前記車両（２）の速度を、前記車両（２）の速度範囲と共に表示する、請求項１又は２に記載の散布作業機。
【発明の詳細な説明】
【技術分野】
【０００１】
本発明は、薬液を散布する散布作業機に関する。
【背景技術】
【０００２】
薬液を散布しながら移動する散布作業機として、例えば特許文献１に記載された散布作業機が知られている。特許文献１には、車両の走行速度に応じて噴霧ノズルに供給する薬液の供給圧力を制御することにより、予め設定された単位面積あたりの目標散布量で薬液を散布する散布作業機が記載されている。
【先行技術文献】
【特許文献】
【０００３】
【特許文献１】特開２００８−１７８８１９号公報
【発明の概要】
【発明が解決しようとする課題】
【０００４】
このような散布作業機においては、作業条件によって散布の作業に適した動作範囲が変化する。例えば、散布作業機では、使用する噴霧ノズルの特性や目標散布量によって、散布の作業に適した車両の走行速度範囲が変化する。このため、作業者に対して適切な動作範囲を通知することが望まれている。
【０００５】
そこで、本発明は、作業者に対して適切な動作範囲を通知可能な散布作業機を提供することを目的とする。
【課題を解決するための手段】
【０００６】
本発明は、車両（２）と、車両（２）に搭載されて噴霧ノズル（１０）から薬液を噴霧することにより薬液を散布する散布装置（３）とを備えた散布作業機（１）であって、散布装置（３）によって散布する薬液の単位面積あたりの目標散布量を取得する第１取得部（３１）と、噴霧ノズル（１０）における噴霧に関するノズル特性を取得する第２取得部（３２）と、第１取得部（３１）で取得された目標散布量と、第２取得部（３２）で取得されたノズル特性とに基づいて、目標散布量で薬液を散布可能な車両（２）の速度範囲を演算する範囲演算部（３６）と、範囲演算部（３６）で演算された車両（２）の速度範囲を表示する表示部（２２）と、回転力を駆動源として薬液を噴霧ノズル（１０）に供給するポンプ（６ａ）と、ポンプ（６ａ）の回転数を取得するポンプ回転数取得部（３４）と、ポンプ回転数取得部（３４）で取得されたポンプ（６ａ）の回転数に基づいて、噴霧ノズル（１０）に供給される薬液の供給量を演算する供給量演算部（３５）と、を備え、ノズル特性は、噴霧ノズル（１０）における薬液の供給圧力と噴霧量との相関と、噴霧ノズル（１０）に対して予め設定された薬液の供給圧力の許容範囲とを含み、範囲演算部（３６）は、第１取得部（３１）で取得された目標散布量と、第２取得部（３２）で取得された薬液の供給圧力と噴霧量との相関及び薬液の供給圧力の許容範囲とに基づいて、薬液の供給圧力の許容範囲内において目標散布量で薬液を散布可能な車両（２）の速度範囲を演算し、第２取得部（３２）で取得された薬液の供給圧力と噴霧量との相関及び薬液の供給圧力の許容範囲に基づいて、薬液の供給圧力の許容範囲内における噴霧ノズルの最大の噴霧量を演算し、供給量演算部（３５）で演算された薬液の供給量が噴霧ノズルの最大の噴霧量よりも小さい場合、第１取得部（３１）で取得された目標散布量と供給量演算部（３５）で演算された薬液の供給量とに基づいて、車両の速度範囲の上限値を演算する。
【０００７】
この散布作業機（１）において、範囲演算部(３６)は、目標散布量とノズル特性とに基づいて、目標散布量で薬液を散布可能な車両（２）の速度範囲を演算することができる。表示部（２２）は、演算された速度範囲を表示することにより、適切な動作範囲として車両（２）の適切な速度範囲を、作業者に対して通知することができる。これにより、作業者は、表示部（２２）を確認することにより、適切な速度範囲を把握することができる。
また、範囲演算部（３６）は、目標散布量と、薬液の供給圧力と噴霧量との相関と、薬液の供給圧力の許容範囲とに基づいて、車両（２）の速度範囲を演算することができる。この速度範囲内であれば噴霧ノズル（１０）に供給される薬液の供給圧力を許容範囲内にできるため、噴霧ノズル（１０）から薬液を適切に噴霧できる。
さらに、供給量演算部（３５）で演算された薬液の供給量が噴霧ノズル（１０）の最大の噴霧量よりも小さい場合とは、噴霧ノズル（１０）には噴霧の余力があるにも関わらず、ポンプ（６ａ）からの薬液の供給量が不足している場合である。この場合、範囲演算部（３６）は、第１取得部（３１）で取得された目標散布量と供給量演算部（３５）で演算された薬液の供給量とに基づいて、車両（２）の速度範囲の上限値を演算する。これにより、ポンプ（６ａ）からの薬液の供給量も考慮して、車両（２）の速度範囲を演算することができる。
【０００８】
本発明は、車両（２）と、車両（２）に搭載されて噴霧ノズル（１０）から薬液を噴霧することにより薬液を散布する散布装置（３）とを備えた散布作業機（１）であって、散布装置（３）によって散布する薬液の単位面積あたりの目標散布量を取得する第１取得部（３１）と、噴霧ノズル（１０）における噴霧に関するノズル特性を取得する第２取得部（３２）と、第１取得部（３１）で取得された目標散布量と、第２取得部（３２）で取得されたノズル特性とに基づいて、目標散布量で薬液を散布可能な車両（２）の速度範囲を演算する範囲演算部（３６）と、範囲演算部（３６）で演算された車両（２）の速度範囲を表示する表示部（２２）と、回転力を駆動源として薬液を噴霧ノズル（１０）に供給するポンプ（６ａ）と、ポンプ（６ａ）の回転数を取得するポンプ回転数取得部（３４）と、ポンプ回転数取得部（３４）で取得されたポンプ（６ａ）の回転数に基づいて、噴霧ノズル（１０）に供給される薬液の供給量を演算する供給量演算部（３５）と、を備え、ノズル特性は、噴霧ノズルに対して予め設定された薬液の噴霧量の許容範囲を含み、範囲演算部（３６）は、第１取得部（３１）で取得された目標散布量と、薬液の噴霧量の許容範囲とに基づいて、薬液の噴霧量の許容範囲内において目標散布量で薬液を散布可能な車両（２）の速度範囲を演算し、供給量演算部（３５）で演算された薬液の供給量が、第２取得部（３２）で取得された薬液の噴霧量の許容範囲内における最大の噴霧量よりも小さい場合、第１取得部（３１）で取得された目標散布量と供給量演算部（３５）で演算された薬液の供給量とに基づいて、車両（２）の速度範囲の上限値を演算する。
【０００９】
この散布作業機（１）において、範囲演算部(３６)は、目標散布量とノズル特性とに基づいて、目標散布量で薬液を散布可能な車両（２）の速度範囲を演算することができる。表示部（２２）は、演算された速度範囲を表示することにより、適切な動作範囲として車両（２）の適切な速度範囲を、作業者に対して通知することができる。これにより、作業者は、表示部（２２）を確認することにより、適切な速度範囲を把握することができる。
また、範囲演算部（３６）は、目標散布量と、薬液の噴霧量の許容範囲とに基づいて、車両（２）の速度範囲を演算することができる。この速度範囲内であれば噴霧ノズル（１０）から噴霧される薬液の噴霧量を許容範囲内にできるため、噴霧ノズル（１０）から薬液を適切に噴霧できる。
さらに、供給量演算部（３５）で演算された薬液の供給量が噴霧ノズル（１０）の最大の噴霧量よりも小さい場合とは、噴霧ノズル（１０）には噴霧の余力があるにも関わらず、ポンプ（６ａ）からの薬液の供給量が不足している場合である。この場合、範囲演算部（３６）は、第１取得部（３１）で取得された目標散布量と供給量演算部（３５）で演算された薬液の供給量とに基づいて、車両（２）の速度範囲の上限値を演算する。これにより、ポンプ（６ａ）からの薬液の供給量も考慮して、車両（２）の速度範囲を演算することができる。
【００１２】
散布作業機（１）は、車両（２）の速度を検出する速度検出部（５）を更に備え、表示部（２２）は、速度検出部（５）で検出された車両の速度を、車両（２）の速度範囲と共に表示してもよい。この場合、作業者は、車両（２）の速度範囲に対して現在の車両（２）の速度がどのような状態であるかを把握することができる。
【発明の効果】
【００１３】
本発明によれば、作業者に対して適切な動作範囲を通知できる。
【図面の簡単な説明】
【００１４】
【図１】実施形態に係る散布作業機の全体構成を示す図である。
【図２】図１の散布装置の配管系統図である。
【図３】表示制御部周りの機能構成を示すブロック図である。
【図４】表示部に表示される表示画像例を示す図である。
【発明を実施するための形態】
【００１５】
以下、本発明の実施形態について図面を参照しながら説明する。なお、図面の説明において同一の要素には同一の符号を付し、重複する説明を省略する。
【００１６】
図１に示されるように、本実施形態のスピードスプレーヤ（散布作業機）１は、例えば果樹園等の圃場に薬液を散布するための農作業機である。スピードスプレーヤ１は、走行部である車輪２ａを有する車両２と、車両２に装着された薬液の散布装置３とを備える。車両２の前部には、作業者が着座する空間を形成するキャビン４が設けられている。車両２は、エンジンルーム６に搭載されるエンジンで発生した動力によって走行可能になっている。車両２を走行させるエンジンの回転数は、エンジン制御装置９によって制御される。車両２の走行速度は、キャビン４内の操作部に設けられたシフトレバー（図示せず）により設定可能になっている。車両２には、車両２の走行速度を検出するための速度センサ（速度検出部）５が設けられている。速度センサ５は、例えば、エンジンの動力を車輪２ａに伝達する伝達部の回転数を検出する。
【００１７】
散布装置３は、薬液を貯留するための薬液タンク７と、薬液タンク７内の薬液を噴霧ノズル１０に供給して噴霧させる噴霧用ポンプ６ａ（図２参照）とを有する。車両２の中央部には薬液タンク７が装着されている。噴霧用ポンプ６ａは、車両２を走行させるエンジンで発生した動力によって駆動される。
【００１８】
車両２の最後部には、噴霧ノズル１０から噴霧された薬液を所定の方向及び所定の範囲に送るための送風機８が装着されている。エンジンルーム６と送風機８との間には、複数の噴霧ノズル１０が円弧状に配列されている。噴霧ノズル１０は、一列の円弧状に配列されてもよいし、複数列の円弧状に配列されてもよい。
【００１９】
図２は、散布装置３の配管系統図である。薬液タンク７には、給水ラインＬ１が接続されており、給水ラインＬ１に設けられた給水ポンプ１１によって、薬液タンク７内に給水可能になっている。給水ポンプ１１は、車両２を走行させるエンジンで発生した動力によって駆動される。給水ラインＬ１には、ストレーナ１２が設けられている。薬液タンク７内には、撹拌装置が設けられてもよい。
【００２０】
薬液タンク７には、噴霧ラインＬ２が接続されており、噴霧ラインＬ２に設けられた噴霧用ポンプ６ａによって、調圧弁１４、分水器１５及びコック１７を介して、各噴霧ノズル１０から薬液を噴霧可能になっている。噴霧用ポンプ６ａは、車両２を走行させるエンジンで発生した動力（回転力）を駆動源として、薬液を噴霧ノズル１０に供給する。噴霧用ポンプ６ａは、薬液タンク７から吸水ラインＬ４を通じて薬液を吸入する。吸水ラインＬ４には、ストレーナ１３が設けられている。調圧弁１４には三方コック１６が設けられており、噴霧用ポンプ６ａから送られた薬液の一部を、戻りラインＬ３を介して薬液タンク７に戻せるようになっている。調圧弁１４は、噴霧ノズル１０に供給される薬液の供給圧力を調整することができる。
【００２１】
噴霧ノズル１０は、通常同一種のものが使用されるが、複数種類用いることも可能である。使用される噴霧ノズル１０の種類・個数、配列等は、薬液散布の目的や圃場等に応じて作業者によって決定される。
【００２２】
ここで、散布装置３は、速度センサ５で検出された車両２の速度に応じて噴霧ノズル１０に供給される薬液の供給圧力を自動で調節することにより、単位面積あたりの薬液の散布量が目標散布量となるように制御する速度連動散布制御を行っている。
【００２３】
図１および図３に示されるように、スピードスプレーヤ１は、更に、表示制御部２１、表示部２２、及び入力部２３を備えている。本実施形態においては、表示部２２として、液晶ディスプレイが用いられる。表示部２２は、表示制御部２１に接続されており、表示制御部２１で生成された画像を表示する。表示部２２は、キャビン４内において、キャビン４内の作業者から視認可能な位置に設けられている。入力部２３は、表示制御部２１に接続されており、表示制御部２１に情報を入力可能な例えばキーボード、タッチパネル又はスイッチ等である。入力部２３は、キャビン４内において、作業者が操作可能な位置に設けられている。
【００２４】
表示制御部２１は、目標散布量で薬液を散布可能な車両２の速度範囲を演算し、演算した速度範囲を表示部２２に表示させる。表示制御部２１は、例えば、ＣＰＵ[Central  Processing  Unit]、ＲＯＭ[Read  Only  Memory]、ＲＡＭ[Random  Access  Memory]、ＥＥＰＲＯＭ［Electrically  Erasable  Programmable  Read  Only  Memory］等を有する電子制御ユニットである。表示制御部２１は、ＲＯＭに記憶されているプログラムをＲＡＭにロードし、ＥＥＰＲＯＭに記憶されている数値等を用いてＣＰＵで実行することで、処理を実行する。表示制御部２１は、スピードスプレーヤ１の始動と共に処理を開始し、速度の範囲（上限値、下限値）の更新、及び速度範囲の表示を続ける。
【００２５】
これらの表示制御部２１、表示部２２、及び入力部２３は、本実施形態における目標散布量で薬液を散布可能な車両２の速度範囲を表示する処理のみに使用されるのではなく、他の処理も実行可能な構成であってもよい。また、表示制御部２１、表示部２２、及び入力部２３は、一体であってもよく別体であってもよい。
【００２６】
表示制御部２１は、機能的には、散布量取得部（第１取得部）３１、特性取得部（第２取得部）３２、記憶部３３、ポンプ回転数取得部３４、供給量演算部３５、範囲演算部３６、及び画像生成部３７を備えている。
【００２７】
記憶部３３は、ノズル特性、薬液の噴霧に使用される噴霧ノズル１０の個数（ｎ［個］）、薬液の散布作業幅（Ｗ［ｍ］）、噴霧用ポンプ６ａの一回転あたりの薬液の供給量（ＱＮ［Ｌ］）、散布装置３によって散布する薬液の単位面積あたりの目標散布量（Ｓ［Ｌ／ｍ２］）を記憶している。記憶部３３は、例えば、ＥＥＰＲＯＭによって構成されていてもよい。作業者は、記憶部３３が記憶するこれらの値を、入力部２３を通じて入力したり変更したりすることができる。
【００２８】
記憶部３３が記憶するノズル特性とは、噴霧ノズル１０における噴霧に関する特性である。ノズル特性は、噴霧ノズル１０における薬液の供給圧力と噴霧量との相関と、噴霧ノズル１０に対して予め設定された薬液の供給圧力の許容範囲（Ｐｍａｘ／Ｐｍｉｎ［ＭＰａ］）とを含んでいる。ここで、噴霧ノズル１０の１個あたりの噴霧量ｑは、噴霧ノズル１０に供給される薬液の供給圧力をｐとしたときに、次の式（１）によって求めることができる。
【数１】
0006385378.tif 000002
【００２９】
式（１）における定数（ａ）、（ｂ）及び（ｃ）は、噴霧ノズル１０ごとに予め設定された値である。このように定数（ａ）、（ｂ）及び（ｃ）、式（１）より、薬液の供給圧力から噴霧量を演算できる。記憶部３３は、供給圧力ｐから噴霧量ｑを演算するために用いられる定数（ａ）、（ｂ）及び（ｃ）を、薬液の供給圧力と噴霧量との相関として記憶している。噴霧ノズル１０に対して予め設定された薬液の供給圧力の許容範囲とは、噴霧ノズル１０ごとに設定されており、正常な噴霧が可能な推奨される供給圧力の範囲である。
【００３０】
薬液の散布作業幅とは、車両２を走行させながら散布装置３によって散布する薬液の散布幅である。噴霧用ポンプ６ａの一回転あたりの薬液の供給量とは、一回転あたりに噴霧用ポンプ６ａが吐出し、噴霧ノズル１０に供給する薬液の量である。
【００３１】
散布量取得部３１は、記憶部３３から、薬液の単位面積当たりの目標散布量を取得する。特性取得部３２は、記憶部３３から、ノズル特性を取得する。詳細には、特性取得部３２は、薬液の供給圧力と噴霧量との相関としての定数（ａ）、（ｂ）及び（ｃ）と、薬液の供給圧力の許容範囲とを取得する。
【００３２】
ポンプ回転数取得部３４は、噴霧用ポンプ６ａの回転数を取得する。ここで、噴霧用ポンプ６ａは、車両２のエンジンによって駆動されている。すなわち、噴霧用ポンプ６ａの回転数は、車両２のエンジンの回転数より求めることができる。このため、本実施形態においてポンプ回転数取得部３４は、車両２のエンジンの回転数を制御するエンジン制御装置９からエンジン回転数を取得し、エンジン回転数より噴霧用ポンプ６ａの回転数を求める。なお、ポンプ回転数取得部３４は、噴霧用ポンプ６ａの回転数を検出する回転数センサ等の検出結果に基づいて、噴霧用ポンプ６ａの回転数を直接取得してもよい。
【００３３】
供給量演算部３５は、現在の噴霧用ポンプ６ａの作動状態において噴霧ノズル１０全体に供給される薬液の最大の供給量を演算する。具体的には、供給量演算部３５は、ポンプ回転数取得部３４で取得された噴霧用ポンプ６ａの回転数（Ｎ［／ｍｉｎ］）と、記憶部３３が記憶する噴霧用ポンプ６ａの一回転あたりの薬液の供給量（ＱＮ）と、次の式（２）とに基づいて、噴霧ノズル１０全体に供給される薬液の最大の供給量（Ｑｍａｘ１）を演算する。
【数２】
0006385378.tif 000003
【００３４】
範囲演算部３６は、散布量取得部３１で取得された目標散布量と、特性取得部３２で取得されたノズル特性（薬液の供給圧力と噴霧量との相関としての定数（ａ）、（ｂ）及び（ｃ）、薬液の供給圧力の許容範囲）とに基づいて、薬液の供給圧力の許容範囲内において目標散布量で薬液を散布可能な車両２の速度範囲（上限値、下限値）を演算する。
【００３５】
詳細には、範囲演算部３６は、噴霧ノズル１０全体から噴霧される薬液の最大噴霧量（Ｑｍａｘ）を演算する。最大噴霧量（Ｑｍａｘ）を求めるため、まず、範囲演算部３６は、噴霧ノズル１０に対して予め設定された薬液の供給圧力の許容範囲内における最大の噴霧量（Ｑｍａｘ２）を演算する。具体的には、範囲演算部３６は、最大の噴霧量（Ｑｍａｘ２）を、記憶部３３が記憶する薬液の供給圧力の許容範囲の最大値（Ｐｍａｘ）及び噴霧ノズル１０の個数（ｎ）と、式（１）と、次の式（３）とに基づいて演算する。
【数３】
0006385378.tif 000004
【００３６】
次に、範囲演算部３６は、演算した最大の噴霧量（Ｑｍａｘ２）と、供給量演算部３５で演算された薬液の最大の供給量（Ｑｍａｘ１）とを比較し、値が小さい方を噴霧ノズル１０全体から噴霧される薬液の最大噴霧量（Ｑｍａｘ）として用いる。
【００３７】
また、範囲演算部３６は、噴霧ノズル１０に対して予め設定された薬液の供給圧力の許容範囲の最小値に基づいて得られる最小噴霧量（Ｑｍｉｎ）を演算する。具体的には、範囲演算部３６は、最小噴霧量（Ｑｍｉｎ）を、記憶部３３が記憶する薬液の供給圧力の許容範囲の最小値（Ｐｍｉｎ）及び噴霧ノズル１０の個数（ｎ）と、式（１）と、次の式（４）とに基づいて演算する。
【数４】
0006385378.tif 000005
【００３８】
ここで、任意の噴霧量（Ｑ）によって、単位面積あたりの目標散布量を実現するための車両２の速度（Ｖ）は、次の式（５）に基づいて演算することができる。なお、範囲演算部３６は、式（５）における目標散布量（Ｓ）及び散布作業幅（Ｗ）として、記憶部３３に記憶された値を用いる。
【数５】
0006385378.tif 000006
【００３９】
すなわち、噴霧ノズル１０の最大噴霧量（Ｑｍａｘ）によって、単位面積あたりの目標散布量を実現するための車両２の速度の最大値（Ｖｍａｘ）は、次の式（６）に基づいて演算することができる。同様に、噴霧ノズル１０の最小噴霧量（Ｑｍｉｎ）によって、単位面積あたりの目標散布量を実現するための車両２の速度の最小値（Ｖｍｉｎ）は、次の式（７）に基づいて演算することができる。範囲演算部３６は、式（６）及び式（７）に基づいて、車両２の速度範囲の上限値及び下限値をそれぞれ演算する。
【数６】
0006385378.tif 000007
【００４０】
このように、供給量演算部３５で演算された薬液の最大の供給量（Ｑｍａｘ１）が、薬液の供給圧力の許容範囲に基づいて演算された最大の噴霧量（Ｑｍａｘ２）よりも小さい場合、範囲演算部３６は、最大の供給量（Ｑｍａｘ１）を最大噴霧量（Ｑｍａｘ）として用いる。このため、最大の供給量（Ｑｍａｘ１）が最大の噴霧量（Ｑｍａｘ２）よりも小さい場合、範囲演算部３６は、式（６）を用いて、目標散布量と、供給量演算部３５で演算された薬液の最大の供給量（Ｑｍａｘ１）とに基づいて、車両２の速度範囲の上限値を演算する。一方、薬液の供給圧力の許容範囲に基づいて演算された最大の噴霧量（Ｑｍａｘ２）が、供給量演算部３５で演算された薬液の最大の供給量（Ｑｍａｘ１）よりも小さい場合、範囲演算部３６は、最大の噴霧量（Ｑｍａｘ２）を最大噴霧量（Ｑｍａｘ）として用いる。このため、最大の噴霧量（Ｑｍａｘ２）が最大の供給量（Ｑｍａｘ１）よりも小さい場合、範囲演算部３６は、式（６）を用いて、目標散布量と、式（３）より得られる最大の噴霧量（Ｑｍａｘ２）とに基づいて、車両２の速度範囲の上限値を演算する。
【００４１】
画像生成部３７は、範囲演算部３６で演算された車両２の速度範囲を示す画像を生成し、生成した画像を表示部２２に表示させる。車両２の速度範囲を示す画像とは、演算された車両２の速度範囲を作業者が把握することができる画像である。例えば、画像生成部３７は、範囲演算部３６で演算された速度範囲がどの範囲であるかが容易に把握できるように、この速度範囲を強調して示す画像を生成する。
【００４２】
具体例として、画像生成部３７は、図４に示す表示画像例のように、速度を示す円形の指示器Ｘの画像を生成する。この場合、画像生成部３７は、矢印Ａで示す部分のように、範囲演算部３６で演算された速度範囲を強調するために、この速度範囲の盤面の色が他の領域と異なる色で表示された画像を生成する。また、画像生成部３７は、速度センサ５で検出された車両２の速度を示す指針Ｂを、速度範囲と共に表示するための画像を生成する。
【００４３】
目標散布量、使用するノズル、及び散布幅等、作業者が入力部２３を通じて薬液の散布の作業条件を変更すると、範囲演算部３６は、変更された作業条件に応じた車両２の速度範囲を演算する。画像生成部３７は、変更された作業条件に応じた車両２の速度範囲等を示す画像を生成し、生成した画像を表示部２２に表示させる。これにより、作業条件が変更された場合に、変更された作業条件に応じた速度範囲が直ちに表示される。また、画像生成部３７は、速度センサ５によって検出される速度の変化に応じて、指針Ｂが示す速度を変化させる。これにより、現在の車両２の速度が表示部２２に表示される。
【００４４】
本実施形態は以上のように構成され、スピードスプレーヤ１において、範囲演算部３６は、目標散布量とノズル特性とに基づいて、目標散布量で薬液を散布可能な車両２の速度範囲を演算する。表示部２２は、演算された速度範囲を表示する。このように、表示部２２が速度範囲を表示することにより、スピードスプレーヤ１は、適切な動作範囲としての車両の適切な速度範囲を、作業者に対して通知することができる。これにより、作業者は、表示部２２を確認することにより、適切な速度範囲を把握することができる。
【００４５】
範囲演算部３６は、目標散布量と、薬液の供給圧力と噴霧量との相関と、薬液の供給圧力の許容範囲とに基づいて、車両２の速度範囲を演算する。この速度範囲内であれば噴霧ノズル１０に供給される薬液の供給圧力を許容範囲内にできるため、噴霧ノズル１０から薬液を適切に噴霧できる。
【００４６】
範囲演算部３６は、供給量演算部３５で演算された薬液の最大の供給量（Ｑｍａｘ１）が、薬液の供給圧力の許容範囲に基づいて演算された最大の噴霧量（Ｑｍａｘ２）よりも小さい場合、最大の供給量（Ｑｍａｘ１）を最大噴霧量（Ｑｍａｘ）として用いる。ここで、供給量演算部３５で演算された薬液の最大の供給量（Ｑｍａｘ１）が噴霧ノズル１０の最大の噴霧量（Ｑｍａｘ２）よりも小さい場合とは、噴霧ノズル１０には噴霧の余力があるにも関わらず、噴霧用ポンプ６ａからの薬液の供給量が不足している場合である。この場合、範囲演算部３６は、目標散布量と供給量演算部３５で演算された薬液の最大の供給量（Ｑｍａｘ１）とに基づいて、車両２の速度範囲の上限値を演算する。これにより、噴霧用ポンプ６ａからの薬液の供給量も考慮して、車両２の速度範囲を演算することができる。
【００４７】
表示部２２は、速度センサ５で検出された車両２の速度を、車両２の速度範囲と共に表示する。この場合、作業者は、車両２の適切な速度範囲に対して現在の車両２の速度がどのような状態であるかを把握することができる。
【００４８】
以上、本発明の実施形態について説明したが、本発明は、上記実施形態に限定されるものではない。例えば、表示部２２は、範囲演算部３６で演算された車両２の速度範囲を示すことができれば、液晶ディスプレイ以外の機器であってもよい。例えば、表示部２２は、盤面の目盛部分に液晶ディスプレイ又はＬＥＤアレイ等の表示素子を備える指示器であってもよい。この場合、表示部２２は、盤面の目盛部分に設けられた液晶ディスプレイ又はＬＥＤアレイ等によって、範囲演算部３６で演算された車両２の速度範囲を強調して表示してもよい。
【００４９】
実施形態において範囲演算部３６は、ノズル特性として薬液の供給圧力の許容範囲を用いたが、薬液の供給圧力の許容範囲に代えて、噴霧ノズル１０に対して予め設定された薬液の噴霧量の許容範囲を用いて、車両２の速度範囲を演算してもよい。噴霧ノズル１０に対して予め設定された薬液の噴霧量の許容範囲とは、噴霧ノズル１０ごとに設定されており、正常な噴霧が可能な推奨される噴霧量の範囲である。この場合、記憶部３３は、薬液の供給圧力の許容範囲に代えて、薬液の噴霧量の許容範囲を記憶している。範囲演算部３６は、散布量取得部３１で取得された目標散布量と、特性取得部３２で取得されたノズル特性（薬液の噴霧量の許容範囲）とに基づいて、薬液の噴霧量の許容範囲内において目標散布量で薬液を散布可能な車両２の速度範囲（上限値、下限値）を演算する。
【００５０】
さらに、範囲演算部３６は、供給量演算部３５で演算された薬液の最大の供給量（Ｑｍａｘ１）が、噴霧ノズル１０に設定された薬液の噴霧量の許容範囲内において噴霧ノズル１０全体での最大の噴霧量よりも小さい場合、目標散布量と供給量演算部３５で演算された薬液の最大の供給量（Ｑｍａｘ１）とに基づいて、車両２の速度範囲の上限値を演算する。このように、範囲演算部３６は、薬液の噴霧量の許容範囲を用いる場合であっても、車両２の速度範囲を演算することができる。この速度範囲内であれば噴霧ノズル１０から噴霧される薬液の噴霧量を許容範囲内にできるため、噴霧ノズル１０から薬液を適切に噴霧できる。また、実施形態と同様に、範囲演算部３６は、噴霧用ポンプ６ａからの薬液の供給量も考慮して、車両２の速度範囲を演算することができる。
【００５１】
散布装置３は、車両２の速度に応じて噴霧ノズル１０に供給される薬液の供給圧力を自動で調節して薬液の散布量を制御する速度連動散布制御を行うことに限定されない。例えば、散布装置３は、薬液の供給圧力を作業者が手動で設定する構成であってもよい。この場合、範囲演算部３６は、作業者によって設定された供給圧力で噴霧ノズル１０から薬液を噴霧する場合に目標散布量を実現可能な車両２の速度を演算する。画像生成部３７は、実施形態で説明した速度範囲等と共に、範囲演算部３６で演算された速度を表示部２２に表示させてもよい。
【００５２】
実施形態において、表示制御部２１は、目標散布量で薬液を散布可能な車両２の速度範囲を表示部２２に表示させたが、速度範囲以外の表示を行ってもよい。例えば、表示制御部２１は、エンジン回転数から演算される噴霧用ポンプ６ａの給水量の範囲、送風機８の風量の範囲、噴霧ノズル１０に供給される薬液の供給圧力の範囲等の表示を行ってもよい。
【００５３】
また、本発明は、噴霧ノズルを備える散布装置が搭載された散布作業機であれば、スピードスプレーヤ１以外の散布作業機にも適用可能であり、例えば、ブームスプレーヤ等に適用可能である。
【符号の説明】
【００５４】
１…スピードスプレーヤ（散布作業機）、２…車両、３…散布装置、５…速度センサ（速度検出部）、６ａ…噴霧用ポンプ（ポンプ）、１０…噴霧ノズル、２２…表示部、３１…散布量取得部（第１取得部）、３２…特性取得部（第２取得部）、３５…供給量演算部、３６…範囲演算部。
【図１】
0006385378.tif 000008
【図２】
0006385378.tif 000009
【図３】
0006385378.tif 000010
【図４】
0006385378.tif 000011